(57)【要約】【課題】  情報入力端末の読取操作と情報処理装置の操作を交互に繰り返す必要があるときでも、情報入力端末を置いたり、持ったりする作業をなくして、操作性を向上させる。【解決手段】  本発明の情報処理システムは、情報コードを読み取る機能を備えた情報入力端末と、この情報入力端末が出力したデータに対して所定の処理を実行するように構成された情報処理装置とから構成されたものにおいて、前記情報処理装置により前記データの処理方法を選択する選択項目を前記表示手段に表示し、前記情報入力端末により前記表示手段に表示された前記選択項目を選択可能に構成し、更に、前記情報処理装置において上記選択情報に基づいてデータ処理を実行するように構成したものである。【選択図】  図１
2006201947.tif 000002
【特許請求の範囲】
【請求項１】
情報コードを読み取る読取手段と、読み取ったデータを出力する情報出力手段とを備えた情報入力端末と、
表示手段と、前記情報入力端末が出力した前記データを入力する情報入力手段とを備え、入力された前記データに対して所定の処理を実行するように構成された情報処理装置とから構成された情報処理システムにおいて、
前記情報処理装置は、入力された前記データの処理方法を選択する選択項目を前記表示手段に表示するように構成されていると共に、
前記情報入力端末は、前記表示手段に表示された前記選択項目を選択する選択情報を前記情報出力手段に出力するように構成され、更に、
前記情報処理装置は、前記情報入力手段から入力された前記選択情報に基づいてデータ処理を実行する情報処理手段を備えるように構成されていることを特徴とする情報処理システム。
【請求項２】
前記情報入力端末は、
この情報入力端末が移動した距離と移動の方向とを検出する移動量検出手段と、
検出された移動距離及び移動方向に相当する移動信号を生成して前記情報出力手段に出力する移動信号生成手段と、
前記表示手段に表示された前記選択項目の中の１つを選択したことを示す選択信号を生成して前記情報出力手段に出力する選択信号出力手段とを備え、
前記情報処理装置は、
前記情報入力手段から入力された前記移動信号に応じて前記表示手段に表示されたポイント画像を移動させて表示する表示制御手段と、
前記選択信号出力手段が出力した前記選択信号が入力されたときに、前記ポイント画像が示す位置に表示されている選択項目を選択入力情報として設定する設定手段とを備え、更に、
前記情報処理手段は、前記設定手段に設定された前記選択入力情報に基づいてデータ処理を実行することを特徴とする請求項１記載の情報処理システム。
【請求項３】
前記情報入力端末の前記移動量検出手段は、
前記情報入力端末に直行するＸＹ座標軸を設定し、前記情報入力端末に加えられたＸ軸方向及びＹ軸方向の加速度を検出する加速度センサと、
検出された加速度から前記情報入力端末のＸ軸方向及びＹ軸方向のそれぞれの移動量を算出する移動量算出手段とを備えていることを特徴とする請求項２記載の情報処理システム。
【請求項４】
前記情報入力端末の本体の一端部に読取口を設け、他端部に把持部を設け、前記一端部または前記他端部の端面部に回転球を回転可能に設けたことを特徴とする請求項３記載の情報処理システム。
【請求項５】
前記情報入力端末の前記移動量検出手段は、前記情報入力端末に直行するＸＹ座標軸を設定し、作業台などの静止面に対して前記情報入力端末が相対的に移動したＸ軸方向及びＹ軸方向の移動量を検出するボールマウスまたは光学マウスであることを特徴とする請求項２記載の情報処理システム。
【請求項６】
前記ボールマウスまたは前記光学マウスは、前記情報入力端末の本体における読取口が設けられた端部に、または、把持部が設けられた端部に配設されていることを特徴とする請求項５記載の情報処理システム。
【請求項７】
前記情報入力端末は、２次元センサ及び照明光源を備えた２次元コード読取装置で構成されていると共に、
前記光学マウスは、前記２次元センサ及び前記照明光源で構成されていることを特徴とする請求項５または６記載の情報処理システム。
【請求項８】
前記情報入力端末の前記移動量検出手段は、
前記情報入力端末に、直交するＸＹ座標軸を設定し、前記情報入力端末のＸ軸方向及びＹ軸方向の移動信号を発生させるＸＹ移動操作手段を備えていることを特徴とする請求項２記載の情報処理システム。
【請求項９】
前記情報入力端末の前記ＸＹ移動操作手段は、トラックボール、トラックポイント、４方向矢印キーのいずれかで構成されていることを特徴とする請求項８記載の情報処理システム。
【請求項１０】
前記情報入力端末の前記ＸＹ移動操作手段は、前記情報入力端末により情報コードを読み取るために手で前記情報入力端末を握ったときに、前記手の親指または人差指で操作可能な位置に配設されていることを特徴とする請求項９記載の情報処理システム。
【請求項１１】
前記情報入力端末は、モード切り替え情報を読み取ることによって、情報コード読取モードから、前記情報入力端末が移動した距離と移動の方向を検出する検出モードに切り替わるように構成されていることを特徴とする請求項１ないし１１のいずれかに記載の情報処理システム。
【請求項１２】
前記情報処理装置の前記表示手段は、タッチパネルを備えていると共に、
前記情報入力端末は、前記表示手段に表示された表示項目を選択するために、前記タッチパネルにタッチする柔軟な指示手段を備えていることを特徴とする請求項１記載の情報処理システム。
【請求項１３】
前記情報入力端末の前記指示手段は、前記情報入力端末の本体の読取口側の端部の上面に、読み取り方向よりも所定角度だけ上向きになるように配設されていることを特徴とする請求項１２記載の情報処理システム。
【請求項１４】
前記情報入力端末の前記指示手段の方向と長さは、読取対象の情報コードと前記情報入力端末との適切な位置関係を示すように設定されていることを特徴とする請求項１２記載の情報処理システム。
【請求項１５】
前記情報入力端末の前記指示手段は、前記情報入力端末の本体に回転可能に設けられていることを特徴とする請求項１２ないし１４のいずれかに記載の情報処理システム。
【請求項１６】
前記情報処理装置は、入力された前記データの処理方法を選択する選択項目を前記表示手段に表示し、
前記情報入力端末は、
トリガスイッチと、
前記トリガスイッチが操作されたときに、前記表示手段に表示された前記選択項目を認識して選択情報を出力する情報認識手段とを備え、更に、
前記情報処理手段は、前記選択情報に基づいてデータ処理を実行することを特徴とする請求項１記載の情報処理システム。
【請求項１７】
前記情報処理装置は、入力された前記データの処理方法を選択する選択項目を文字で前記表示手段に表示し、
前記情報入力端末の情報認識手段は、文字認識することによって選択項目の１つを認識することを特徴とする請求項１６記載の情報処理システム。
【請求項１８】
前記情報処理装置は、入力された前記データの処理方法を選択する選択項目を情報コードで前記表示手段に表示し、
前記情報入力端末の情報認識手段は、情報コードを読み取ることによって選択項目の１つを認識することを特徴とする請求項１６記載の情報処理システム。
【請求項１９】
前記情報コードは、バーコードまたは２次元コードであることを特徴とする請求項１８記載の情報処理システム。
【請求項２０】
請求項１ないし１９のいずれかに記載の情報処理システムに使用される情報入力端末。
【発明の詳細な説明】
【技術分野】
【０００１】
本発明は、情報コードを読み取る機能を有する情報入力端末と、この情報入力端末により読み取った情報コードのデータを入力してこのデータに対して所定の処理を実行する情報処理装置とを備えてなる情報処理システム及び情報入力端末に関するものである。
【背景技術】
【０００２】
この種の情報処理システムの一例として、レジスタ（情報処理装置）と、このレジスタに接続されたバーコードリーダ（情報入力端末）とから構成されたシステムであって、小売店の販売データ処理を実行するシステムがある。このシステムの場合、バーコードリーダで商品等に印刷されたバーコードを読み取り、その読み取ったデータをレジスタに送り、レジスタにおいてそのデータに対して所定の処理を実行するように構成されている。この構成の場合、ユーザーは、バーコードリーダを操作する他に、レジスタのキーボードを操作したり、レジスタのディスプレイに設けられたタッチパネルを操作したりする必要があった。
【特許文献１】特開２００１−２４２９８９号公報
【発明の開示】
【発明が解決しようとする課題】
【０００３】
上記構成の場合、ユーザーがレジスタを操作するとき、即ち、レジスタのキーボード（またはタッチパネル）を操作するときに、バーコードリーダを一旦台上に置かなければならない。このため、ユーザーは、バーコードリーダを置いたり、持ったりする操作をかなり頻繁に繰り返す必要があることから、バーコードリーダの操作性があまり良いとはいえなかった。
【０００４】
そこで、本発明の目的は、情報入力端末の読取操作と情報処理装置の操作を交互に繰り返す必要があるときでも、情報入力端末を置いたり、持ったりする作業をなくすことができ、操作性を向上させることができる情報処理システム及び情報入力端末を提供することにある。
【課題を解決するための手段】
【０００５】
本発明の情報処理システムは、情報コードを読み取る読取手段と、読み取ったデータを出力する情報出力手段とを備えた情報入力端末と、表示手段と、前記情報入力端末が出力した前記データを入力する情報入力手段とを備え、入力された前記データに対して所定の処理を実行するように構成された情報処理装置とから構成されたシステムにおいて、前記情報処理装置は、入力された前記データの処理方法を選択する選択項目を前記表示手段に表示するように構成されていると共に、前記情報入力端末は、前記表示手段に表示された前記選択項目を選択する選択情報を前記情報出力手段に出力するように構成され、更に、前記情報処理装置は、前記情報入力手段から入力された前記選択情報に基づいてデータ処理を実行する情報処理手段を備えるように構成されているところに特徴を有する。
【０００６】
上記構成によれば、情報入力端末によって、情報処理装置の表示手段に表示された選択項目を選択することが可能な構成となるので、情報入力端末の読取操作と情報処理装置の操作を交互に繰り返す必要があるときでも、情報入力端末を置いたり、持ったりする作業をなくすことができる。
【０００７】
また、上記構成の場合、前記情報入力端末は、この情報入力端末が移動した距離と移動の方向とを検出する移動量検出手段と、検出された移動距離及び移動方向に相当する移動信号を生成して前記情報出力手段に出力する移動信号生成手段と、前記表示手段に表示された前記選択項目の中の１つを選択したことを示す選択信号を生成して前記情報出力手段に出力する選択信号出力手段とを備え、そして、前記情報処理装置は、前記情報入力手段から入力された前記移動信号に応じて前記表示手段に表示されたポイント画像を移動させて表示する表示制御手段と、前記選択信号出力手段が出力した前記選択信号が入力されたときに、前記ポイント画像が示す位置に表示されている選択項目を選択入力情報として設定する設定手段とを備え、更に、前記情報処理手段は、前記設定手段に設定された前記選択入力情報に基づいてデータ処理を実行するように構成することが好ましい。
【０００８】
また、前記情報入力端末の前記移動量検出手段は、前記情報入力端末に、直行するＸＹ座標軸を設定し、前記情報入力端末に加えられたＸ軸方向及びＹ軸方向の加速度を検出する加速度センサと、検出された加速度から前記情報入力端末のＸ軸方向及びＹ軸方向のそれぞれの移動量を算出する移動量算出手段とを備えていることが好ましい構成である。この場合、前記情報入力端末の本体の一端部に読取口を設け、他端部に把持部を設け、前記一端部または前記他端部の端面部に回転球を回転可能に設けるように構成することがより一層好ましい。
【０００９】
更に、前記情報入力端末の前記移動量検出手段は、前記情報入力端末に、直行するＸＹ座標軸を設定し、作業台などの静止面に対して前記情報入力端末が相対的に移動したＸ軸方向及びＹ軸方向の移動量を検出するボールマウスまたは光学マウスであることが良い。この場合、前記ボールマウスまたは前記光学マウスは、前記情報入力端末の本体における読取口が設けられた端部に、または、把持部が設けられた端部に配設されていることが好ましい。
【００１０】
更にまた、前記情報入力端末を、２次元センサ及び照明光源を備えた２次元コード読取装置で構成すると共に、前記光学マウスを、前記２次元センサ及び前記照明光源で構成することがより一層好ましい構成である。
【００１１】
また、前記情報入力端末の前記移動量検出手段は、前記情報入力端末に、直交するＸＹ座標軸を設定し、前記情報入力端末のＸ軸方向及びＹ軸方向の移動信号を発生させるＸＹ移動操作手段を備えていることが良い構成である。この場合、前記情報入力端末の前記ＸＹ移動操作手段は、トラックボール、トラックポイント、４方向矢印キーのいずれかで構成されていることが好ましい。また、前記情報入力端末の前記ＸＹ移動操作手段は、前記情報入力端末により情報コードを読み取るために手で前記情報入力端末を握ったときに、前記手の親指または人差指で操作可能な位置に配設されていることがより一層良い構成である。
【００１２】
一方、前記情報入力端末は、モード切り替え情報を読み取ることによって、情報コード読取モードから、前記情報入力端末が移動した距離と移動の方向を検出する検出モードに切り替わるように構成されていることが好ましい。
【００１３】
また、前記情報処理装置の前記表示手段は、タッチパネルを備えていると共に、前記情報入力端末は、前記表示手段に表示された表示項目を選択するために、前記タッチパネルにタッチする柔軟な指示手段を備えていることが良い構成である。この場合、前記情報入力端末の前記指示手段は、前記情報入力端末の本体の読取口側の端部の上面に、読み取り方向よりも所定角度だけ上向きになるように配設されていることが好ましい。
【００１４】
また、前記情報入力端末の前記指示手段の方向と長さは、読取対象の情報コードと前記情報入力端末との適切な位置関係を示すように設定されていることも好ましい。更に、前記情報入力端末の前記指示手段は、前記情報入力端末の本体に回転可能に設けられていることが良い構成である。
【００１５】
一方、前記情報処理装置は、入力された前記データの処理方法を選択する選択項目を前記表示手段に表示し、前記情報入力端末は、トリガスイッチと、前記トリガスイッチが操作されたときに、前記表示手段に表示された前記選択項目を認識して選択情報を出力する情報認識手段とを備え、更に、前記情報処理手段は、前記選択情報に基づいてデータ処理を実行するように構成することが好ましい。この場合、前記情報処理装置は、入力された前記データの処理方法を選択する選択項目を文字で前記表示手段に表示し、前記情報入力端末の情報認識手段は、文字認識することによって選択項目の１つを認識することが良い構成である。
【００１６】
また、前記情報処理装置は、入力された前記データの処理方法を選択する選択項目を情報コードで前記表示手段に表示し、前記情報入力端末の情報認識手段は、情報コードを読み取ることによって選択項目の１つを認識することも良い構成である。更に、前記情報コードは、バーコードまたは２次元コードであることが好ましい。
【発明を実施するための最良の形態】
【００１７】
以下、本発明の第１の実施例について、図１ないし図３を参照しながら説明する。まず、図２は、本実施例の情報処理システム１の全体概略構成を示す斜視図である。この図１に示すように、上記情報処理システム１は、レジスタ（情報処理装置）２と、このレジスタ２にケーブル３を介して接続されたバーコードリーダ（情報入力端末）４とから構成されている。
【００１８】
上記バーコードリーダ４は、通常のバーコードリーダとしての機能、即ち、バーコードを読み取る機能と、ポインティングデバイス（いわゆるマウス）としての機能とを有している。ここで、バーコードリーダ４の電気的構成について、図３に示すブロック図を参照して説明する。
【００１９】
図３に示すように、バーコードリーダ４は、光学ユニット５、信号処理回路６、画像メモリ７、ＲＯＭ・ＲＡＭ８、表示ＬＥＤ９、ＣＰＵ１０、トリガスイッチ１１、加速度センサ１２、データＩ／Ｆ１３及びマウスＩ／Ｆ１４から構成されている。光学ユニット５は、受光センサ１５と照明用ＬＥＤ１６と結像レンズ１７とから構成されている。受光センサ１５は、例えば１次元タイプのＣＣＤセンサで構成されている。
【００２０】
上記構成の場合、照明用ＬＥＤ１６から発光された光は紙や物品等に印刷された情報コードである例えばバーコード（図１参照）１８に照射されてこれを照明し、バーコード１８からの反射光は結像レンズ１７を介して受光センサ１５上に結像されるように構成されている。そして、受光センサ１５はバーコード１８の反射光を受光して受光信号を出力し、この受光信号は、信号処理回路６を介してデジタル信号（画像データ）に変換され、この画像データは画像メモリ７に記憶されるように構成されている。
【００２１】
ＣＰＵ１０は、上記画像データに基づいて前記バーコード１８をデコードすることにより、バーコード１８を光学的に読み取るように構成されている。そして、読取結果であるデコード結果（デコードデータ）は、データＩ／Ｆ１３を介してケーブル３を通り、レジスタ２へ送信されるように構成されている。この場合、光学ユニット５、信号処理回路６、画像メモリ７及びＣＰＵ１０等で、バーコード（情報コード）１８を読み取る読取手段が構成されている。そして、ＣＰＵ１０及びデータＩ／Ｆ１３等で、読み取ったデータを出力する情報出力手段が構成されている。
【００２２】
また、加速度センサ１２は、バーコードリーダ４のＸ軸方向の加速度及びＹ軸方向の加速度を検出して、これら２つの加速度検出信号をＣＰＵ１０へ与えるように構成されている。ＣＰＵ１０は、上記検出されたＸ軸方向の加速度及びＹ軸方向の加速度に基づいて、バーコードリーダ４のＸ軸方向及びＹ軸方向のそれぞれの移動量（即ち、バーコードリーダ４が移動した距離と移動の方向に相当するデータであると共に、周知構成のマウスから出力される信号（データ）に相当するものである）を算出し、これら各移動量をマウスＩ／Ｆ１４を介してケーブル３を通して、レジスタ２へ送信するように構成されている。この場合、ＣＰＵ１０が移動量算出手段を構成している。また、加速度センサ１２とＣＰＵ１０とから、移動量検出手段が構成されている。
【００２３】
一方、レジスタ２は、通常のレジスタとしての機能と、上記バーコードリーダ４が出力したデータ（バーコード１８の読取データ）を入力する情報入力手段としての機能と、この入力されたデータに対して所定の処理を実行する情報処理手段としての機能とを備えている。そして、レジスタ２は、ディスプレイ（表示手段）１９やキーボード２０などを備えている。尚、ディスプレイ１９の表面には、タッチパネルを設けることが好ましい。
【００２４】
次に、上記システムの動作、特には、バーコードリーダ４をいわゆるマウスとして使用するモードの動作について説明する。尚、バーコードリーダ４を、通常のバーコードリーダとして使用するモードのときは、周知構成のバーコードリーダとレジスタからなる情報処理システムと同様に動作するように構成されている。
【００２５】
さて、バーコードリーダ４をポインティングデバイスとして使用するモードに切り替えたい場合には、モード切り替えを指示するバーコード２１（図１参照）を、バーコードリーダ４で読み取る。すると、バーコードリーダ４は、ポインティングデバイスとして使用するモードに切り替わる。尚、ポインティングデバイスとして使用するモードであるときに、上記バーコード２１をバーコードリーダ４で読み取ると、バーコードリーダ４は、通常のバーコードリーダとして使用するモードに切り替わる。即ち、上記バーコード２１をバーコードリーダ４で読み取る毎に、モードが切り替わるように構成されている。尚、モード切り替え用の上記バーコード２１は、レジスタ２の本体の適当な部位や、レジスタ２の周辺（台の上やバーコードリーダ４の置き台の上など）の適当な部位などに配設されている。
【００２６】
また、レジスタ２のディスプレイ１９には、入力されたデータ（バーコードの読取データ）の処理方法を選択する選択項目が表示されている（図１参照）。この状態で、バーコードリーダ４をポインティングデバイスとして使用するモードに切り替わると、図１に示すように、バーコードリーダ４のポインタ（即ち、ポインティングデバイスのポインタの画像に相当するもの）２２がディスプレイ１９上の適当な位置に表示される。
【００２７】
上記状態で、ユーザーがバーコードリーダ４を移動操作すると、その移動距離及び方向に対応するように、レジスタ２のディスプレイ１９の画面上でポインタ２２が移動表示されるように構成されている。この場合、バーコードリーダ４の加速度センサ１２によりバーコードリーダ４のＸ軸方向の加速度及びＹ軸方向の加速度が検出されると共に、これら２つの加速度検出信号に基づいてＣＰＵ１０が、バーコードリーダ４のＸ軸方向及びＹ軸方向のそれぞれの移動量、即ち、バーコードリーダ４が移動した距離と移動の方向に相当するデータであると共に、ポインティングデバイスから出力される信号（データ）に相当するものを算出し、これら各移動量をマウスＩ／Ｆ１４を介してケーブル３を通してレジスタ２へ送信する。そして、これらのデータ信号を受けてレジスタ２は、ディスプレイ１９上においてポインタ２２を移動表示するように構成されている。尚、レジスタ２には、パソコンにおいてポインティングデバイス（例えばマウス）のポインタを移動表示する制御を実現する機能（即ち、プログラム）とほぼ同じ機能が組み込まれている（現在のＰＯＳレジスタはＷｉｎｄｏｗｓ（登録商標）マシンであるものが多い）。
【００２８】
そして、ディスプレイ１９に表示されている選択項目を、バーコードリーダ４によって選択する場合には、ポインタ２２を上記選択項目の上に位置するように、バーコードリーダ４を移動操作した後、バーコードリーダ４の例えばトリガスイッチをオン操作すると、上記選択項目を選択する選択情報（選択データ信号）がバーコードリーダ４からレジスタ２へ送信されるように構成されている。これにより、ユーザーは、バーコードリーダ４を操作するだけで、ディスプレイ１９に表示されている選択項目、即ち、例えば「精算」（図１参照）というデータ処理方法を選択することができる構成となっている。
【００２９】
尚、バーコードリーダ４をポインティングデバイスとして使用するモードであるときに、バーコードリーダ４により次のバーコードを読み取る操作を実行すると、バーコードリーダ４の動作モードが通常のバーコードリーダとして使用するモードに自動的に切り替わるように構成されている。
【００３０】
このような構成の本実施例においては、バーコードリーダ４によりレジスタ２のディスプレイ１９に表示された選択項目を選択して選択情報をレジスタ２へ出力すると共に、レジスタ２において、バーコードリーダ４からの選択情報に基づいてデータ処理を実行するように構成したので、バーコードリーダ４によってレジスタ２のディスプレイ１９に表示された選択項目を選択することが可能な構成となる。このため、バーコードリーダ４の読取操作とレジスタ２の操作を交互に繰り返す必要があるときでも、バーコードリーダ４を置いたり、持ったりする作業をなくすことができる。
【００３１】
また、上記実施例においては、バーコードリーダ４が移動した距離と移動の方向とを検出する移動量検出手段を加速度センサ１２及びＣＰＵ１０で構成し、検出された移動距離及び移動方向に相当する移動信号を生成してマウスＩ／Ｆ（情報出力手段）１４に出力する移動信号生成手段をＣＰＵ１０で構成し、レジスタ２のディスプレイ１９に表示された選択項目の中の１つを選択したことを示す選択信号を生成してマウスＩ／Ｆ（情報出力手段）１４に出力する選択信号出力手段を、トリガスイッチ１１及びＣＰＵ１０で構成した。このため、バーコードリーダ４をポインティングデバイスとして使用する構成を簡単な構成にて容易に実現することができる。
【００３２】
そして、上記実施例では、レジスタ２に、バーコードリーダ４が出力したデータを入力する情報入力手段としての機能と、バーコードリーダ４から出力された移動信号に応じてディスプレイ１９に表示されたポイント画像を移動させて表示する表示制御手段としての機能と、バーコードリーダ４から出力された選択信号が入力されたときに、ポイント画像が示す位置に表示されている選択項目を選択入力情報として設定する設定手段としての機能とを備えるように構成した。これにより、レジスタ２に接続されたバーコードリーダ４をポインティングデバイスとして使用することが可能となる。
【００３３】
また、上記実施例においては、加速度センサ１２により、バーコードリーダ４に直行するＸＹ座標軸を設定し、バーコードリーダ４に加えられたＸ軸方向及びＹ軸方向の加速度を検出すると共に、ＣＰＵ１０により、上記検出された各加速度からバーコードリーダ４のＸ軸方向及びＹ軸方向のそれぞれの移動量を算出するように構成した。これにより、移動量検出手段を具体的に実現することができる。尚、ＣＰＵ１０は、移動量算出手段としての機能を実現している。
【００３４】
さて、上記実施例のバーコードリーダ４を移動操作するに際しては、例えば、台の上面においてバーコードリーダ４を滑らせるようにしてＸ軸及びＹ軸方向へ移動させるように操作すると、操作性が良い。この場合、バーコードリーダ４の滑り移動を良くするための構成を追加することが好ましい。
【００３５】
具体的には、図４に示す本発明の第２の実施例においては、バーコードリーダ４の本体２３における読取口２４を設けた一端部２３ａの端面部に回転球２５を回転可能に設けた。この構成の場合、バーコードリーダ４を移動操作するときには、台の上面にバーコードリーダ４の回転球２５を接触させながらバーコードリーダ４を滑らせるように操作すれば良い。これにより、バーコードリーダ４の手振れを大幅に低減することができ、バーコードリーダ４の移動の操作性を向上させることができる。尚、上記第２の実施例のバーコードリーダ４においては、トリガースイッチ１１は本体２３の下面のほぼ中央部に配設されている。
【００３６】
また、図５に示す本発明の第３の実施例においては、バーコードリーダ４の本体２６における把持部（グリップ部）２７を設けた他端部２６ｂの端面部（下面部）に回転球２８を回転可能に設けた。この構成の場合、バーコードリーダ４を移動操作するときには、台の上面にバーコードリーダ４の把持部２７の回転球２８を接触させながらバーコードリーダ４を滑らせるように操作すれば良い。これにより、バーコードリーダ４の手振れを大幅に低減することができ、バーコードリーダ４の移動の操作性を向上させることができる。尚、上記第３の実施例のバーコードリーダ４は、いわゆるガンタイプのバーコードリーダである。
【００３７】
また、図６は、本発明の第４の実施例を示すものである。尚、第１の実施例と同一構成には、同一符号を付している。この第４の実施例においては、ボールマウス２９をバーコードリーダ４に組み込むように構成した。上記ボールマウス２９は、図６に示すように、ボール３０と、このボール３０の回転を検出することによりバーコードリーダ４本体のＸ軸方向の移動量を検出するＸ軸方向センサ３１と、ボール３０の回転を検出することによりバーコードリーダ４本体のＹ軸方向の移動量を検出するＹ軸方向センサ３２とを備えて構成されている。
【００３８】
上記構成の場合、Ｘ軸方向センサ３１及びＹ軸方向センサ３２は、周知構成のボールマウスと同じ検出信号（即ち、Ｘ軸方向移動量検出信号及びＹ軸方向移動量検出信号）をマウスＩ／Ｆ１４及びケーブル３を介してレジスタ２へ送信するように構成されている。
【００３９】
尚、上述した以外の第４の実施例の構成は、第１の実施例の構成と同じ構成となっている。従って、第４の実施例においても、第１の実施例とほぼ同じ作用効果を得ることができる。
【００４０】
また、上記第４の実施例では、ボールマウス２９を用いたが、これに代えて、図７に示す第５の実施例のように、光学マウス３３を用いるように構成しても良い。光学マウス３３は、図７（ａ）に示すように、照明用ＬＥＤ３４と、２次元センサからなる受光センサ３５と、結像レンズ３６とから構成されている。受光センサ３５は、信号処理回路を内蔵しており、照明用ＬＥＤ３４からの光の反射光を受光することにより、周知構成の光学マウスと同じ検出信号（即ち、バーコードリーダ４のＸ軸方向移動量検出信号及びＹ軸方向移動量検出信号）を出力するように構成されている。そして、光学式マウスパッドとして、特開２００４−３５５６５５号公報のような一般的なマウスパッドを使用することにより、更に正確に移動量が測定できる。
【００４１】
そして、バーコードリーダ４の本体３７における光学マウス３３が配設された端部３７ａの端面部の四隅部、即ち、台の上面と接触する部位には、突起３７ｂが設けられている。これら突起３７ｂは、硬く滑り易い樹脂製の部材で構成されている。これにより、光学マウス３３が配設された端部３７ａを台の上面に当接させながら移動させるときに、その移動が滑らかに実行され、また、受光センサに像を結ぶ最適距離を維持するようになる。尚、上述した以外の第５の実施例の構成は、第１の実施例の構成と同じ構成となっている。従って、第５の実施例においても、第１の実施例とほぼ同じ作用効果を得ることができる。
【００４２】
また、上記第５の実施例の突起３７ｂを、前記した第１ないし第４の実施例のバーコードリーダ４に設けるように構成しても良い。
更に、図８に示す第６の実施例のように、ガンタイプのバーコードリーダ４の本体３８の把持部３８ａの下端面部３８ｂに光学マウス３３を設けるように構成しても良い。この構成の場合、把持部３８ａの下端面部３８ｂの四隅部に、上記した突起３７ｂと同じ材質の突起３８ｃを設けている。そして、上述した以外の第６の実施例の構成は、第５の実施例の構成と同じ構成となっている。従って、第６の実施例においても、第５の実施例とほぼ同じ作用効果を得ることができる。
【００４３】
尚、バーコードリーダ４の読み取り部の光学ユニットの受光センサ１５として、例えば２次元センサが組み込まれている場合は、光学マウスの照明用ＬＥＤ３４および受光センサ３５を、バーコードリーダ４の照明用ＬＥＤ１６および受光センサ１５（２次元センサ）と兼用するようにしてもよい。
【００４４】
この場合、２次元センサの全画素を使用してＸ軸方向の移動量とＹ軸方向の移動量とを測定するのではなく、２次元センサの一部分（所定領域）の画素を使用して測定することにより、移動量の測定処理を高速化することができる。なお、上述した所定領域の大きさとしては、光学式マウスパッドの網目パターン（コア）の１つより若干大きい範囲であればよい。
【００４５】
また、上記の光学マウス兼バーコードリーダであっても、光学式マウスパッドを使用すれば、光学マウスと同様に、移動量の測定を正確に行うことができる。
また、ボールマウス２９や光学マウス３３の代わりに、ＸＹ移動操作手段である例えばトラックボールやトラックポイント（アキュポイント）や４方向矢印キー（カーソル移動キー）を用いるように構成しても良い。トラックボールを用いる構成を、図９に示す。図９は、本発明の第７の実施例を示すものである。この図９に示すように、バーコードリーダ４に設けたトラックボール３９は、ボール４０と、Ｘ軸変位センサ４１と、Ｙ軸変位センサ４２と、Ｘ軸移動量信号発生回路４３と、Ｙ軸移動量信号発生回路４４とから構成されている。
【００４６】
Ｘ軸移動量信号発生回路４３及びＹ軸移動量信号発生回路４４は、Ｘ軸変位センサ４１及びＹ軸変位センサ４２からの各検出信号を受けて、周知構成のマウスと同じ検出信号、即ち、バーコードリーダ４のＸ軸方向移動量検出信号及びＹ軸方向移動量検出信号を出力するように構成されている。これ以外の構成は、第５の実施例とほぼ同じ構成となっている。従って、第７の実施例においても、第５の実施例とほぼ同じ作用効果を得ることができる。また、トラックポイントを用いる構成の場合も、上記第７の実施例とほぼ同様に構成することができ、図示することを省略する。
【００４７】
尚、上記実施例で使用するトラックボールやトラックポイントとしては、ノートブック型のパソコンで使用されている周知構成のトラックボールやトラックポイントを適宜使用すれば良い。
【００４８】
図１０及び図１１は、本発明の第８の実施例を示すものである。図１０に示すように、４方向矢印キー４５は、右方向移動キー４５ａ、左方向移動キー４５ｂ、上方向移動キー４５ｃ、下方向移動キー４５ｄ、決定キー４５ｅ、Ｘ軸移動量信号発生回路４６、Ｙ軸移動量信号発生回路４７、決定信号発生回路４８から構成されている。Ｘ軸移動量信号発生回路４６及びＹ軸移動量信号発生回路４７は、右方向移動キー４５ａ、左方向移動キー４５ｂ、上方向移動キー４５ｃ、下方向移動キー４５ｄからの各検出信号を受けて、周知構成のマウスと同じ検出信号、即ち、バーコードリーダ４のＸ軸方向移動量検出信号及びＹ軸方向移動量検出信号を出力するように構成されている。決定信号発生回路４８は、決定キー４５ｅからの信号を受けて、決定信号を出力するように構成されている。
【００４９】
そして、上記した構成の４方向矢印キー４５は、図１１に示すように、バーコードリーダ４の本体の上面部の中間部位に配設されている。この配設位置は、バーコードリーダ４によりバーコードを読み取るために手でバーコードリーダ４を握ったときに、手の親指または人差指で４方向矢印キー４５を操作可能な位置である。上述した以外の第８の実施例の構成は、第５の実施例とほぼ同じ構成となっている。従って、第８の実施例においても、第５の実施例とほぼ同じ作用効果を得ることができる。尚、上記第８の実施例において、決定キー４５ｅを設けることを止めて、バーコードリーダ４のトリガースイッチを決定キーとして用いるように構成しても良い。また、決定キー４５ｅを設けたまま、バーコードリーダ４のトリガースイッチを決定キーとして用いるように構成しても良い。
【００５０】
更にまた、図１２に示す第９の実施例、即ち、ガンタイプのバーコードリーダ４の場合、４方向矢印キー４５を、バーコードリーダ４の本体の上面部の後端部（図１２中の右端部）に配設するように構成しても良い。この配設位置は、バーコードリーダ４によりバーコードを読み取るために手でバーコードリーダ４を握ったときに、手の親指または人差指で４方向矢印キー４５を操作可能な位置である。そして、このように構成すると、ガンタイプのバーコードリーダ４の場合の４方向矢印キー４５の操作性が良くなる。
【００５１】
図１３ないし図１５は、本発明の第１０の実施例を示すものである。この第１０の実施例においては、図１３及び図１５に示すように、バーコードリーダ４の本体４９の上面部における読み取り口側に端部に、指示手段５０が回転可能に配設されている。この指示手段５０は、レジスタ２のディスプレイ１９の表面に設けられたタッチパネル５１（図１４参照）をタッチ操作するための棒状部材であり、柔軟な部材、例えばゴムラバーにより形成されている。
【００５２】
更に、この指示手段５０は、バーコードリーダ４の本体４９の読取口側の端部の上面において、読み取り方向よりも所定角度だけ上向きとなるように配設されている（図１４参照）。この構成の場合、指示手段５０によりタッチパネル５１にタッチすることにより、ディスプレイ１９に表示された表示項目を選択することが可能なように構成されている。
【００５３】
図１６は、本発明の第１１の実施例を示すものである。この第１１の実施例においては、図１６に示すように、指示手段５０の方向と長さが、読取対象のバーコード（情報コード）とバーコードリーダ４との適切な位置関係を表わすように構成した。即ち、指示手段５０の長さは、バーコードリーダ４と読取対象のバーコードとの適切な距離に対応するようになっていると共に、指示手段５０の方向は、バーコードリーダ４の読取部の光軸と平行となるように構成されている。上述した以外の構成は、第１０の実施例とほぼ同じ構成となっている。従って、第１１の実施例においても、第１０の実施例とほぼ同じ作用効果を得ることができる。
【００５４】
尚、第１０または第１１の実施例のバーコードリーダ４には、前記した第１ないし第９の実施例に示したポインティングデバイス（いわゆるマウス）としての機能を組み込む必要がない。もちろん、ポインティングデバイスとしての機能を組み込むように構成しても良い。
【００５５】
一方、図１７ないし図１９は、本発明の第１２の実施例を示すものである。この第１２の実施例においては、バーコードリーダ４により、レジスタ２のディスプレイ１９に表示された選択項目を認識するように構成した。即ち、バーコードリーダ４は、選択項目を認識すると共に、認識した選択情報を出力する機能（情報認識手段）を備えている。この場合、バーコードリーダ４は、図１８及び図１９に示すように、ポインタ光５１で示された読取領域５２内の文字等を例えば文字認識することにより、選択項目を認識するように構成されている。そして、上記認識した結果（選択情報）をレジスタ２のディスプレイ１９（またはバーコードリーダ４のディスプレイ）に表示した後、バーコードリーダ４の例えばトリガスイッチ１１を操作することにより、上記選択情報を選択することが可能なように構成されている。
【００５６】
尚、上述した以外の第１２の実施例の構成は、第１１の実施例の構成と同じ構成となっている。従って、第１２の実施例においても、第１１の実施例とほぼ同じ作用効果を得ることができる。
【００５７】
また、上記第１２の実施例においては、バーコードリーダ４により文字認識するように構成したが、これに代えて、情報コード（例えばバーコードや２次元コード等）を読み取って認識するように構成しても良い。例えば、図２０ないし図２２に示す第１３の実施例のように、レジスタ２のディスプレイ１９に表示された２次元コード（例えばＱＲコード）をバーコードリーダ４により読み取って認識するように構成しても良い。そして、上述した以外の第１３の実施例の構成は、第１２の実施例の構成と同じ構成となっている。従って、第１３の実施例においても、第１２の実施例とほぼ同じ作用効果を得ることができる。
【図面の簡単な説明】
【００５８】
【図１】本発明の第１の実施例を示すもので、バーコードリーダの移動操作と、レジスタのディスプレイに表示されたポインタの移動動作などを示す図
【図２】バーコードリーダとレジスタを示す斜視図
【図３】バーコードリーダのブロック図
【図４】本発明の第２の実施例を示すバーコードリーダの斜視図
【図５】本発明の第３の実施例を示す図４相当図
【図６】本発明の第４の実施例を示す図３相当図
【図７】本発明の第５の実施例を示すもので、（ａ）は光学マウスのブロック図、（ｂ）は図４相当図
【図８】本発明の第６の実施例を示す図４相当図
【図９】本発明の第７の実施例を示す図７（ａ）相当図
【図１０】本発明の第８の実施例を示す図９相当図
【図１１】バーコードリーダの斜視図
【図１２】本発明の第９の実施例を示す図１１相当図
【図１３】本発明の第１０の実施例を示す図１１相当図
【図１４】バーコードリーダの指示手段でタッチパネルを操作する動作を説明する図
【図１５】バーコードリーダの指示手段を回転させた動作を説明する図
【図１６】本発明の第１１の実施例を示すバーコードリーダ４の側面図
【図１７】本発明の第１２の実施例を示すものであり、レジスタのディスプレイの表示態様を示す図
【図１８】文字認識する対象の一例を示す図
【図１９】文字認識する対象の他の例を示す図
【図２０】本発明の第１３の実施例を示す図１７相当図
【図２１】図１８相当図
【図２２】図１９相当図
【符号の説明】
【００５９】
図面中、１は情報処理システム、２はレジスタ（情報処理装置）、４はバーコードリーダ（情報入力端末）、５は光学ユニット、６は信号処理回路、９は表示ＬＥＤ、１０はＣＰＵ（移動信号生成手段）、１１はトリガスイッチ、１２は加速度センサ（移動量検出手段）、１３はデータＩ／Ｆ（情報出力手段）、１４はマウスＩ／Ｆ（情報出力手段）、１５は受光センサ、１６は照明用ＬＥＤ、１８はバーコード、１９はディスプレイ（表示手段）、２０はキーボード、２１はバーコード、２２はポインタ、２３は本体、２５は回転球、２６は本体、２７は把持部、２８は回転球、２９はボールマウス、３０はボール、３１はＸ軸方向センサ、３２はＹ軸方向センサ、３３は光学マウス、３４は照明用ＬＥＤ、３５は受光センサ、３７は本体、３７ｂは凸起、３８は本体、３９はトラックボール、４０はボール、４１はＸ軸変位センサ、４２はＹ軸変位センサ、４３はＸ軸移動量信号発生回路、４４はＹ軸移動量信号発生回路、４５は４方向矢印キー、４６はＸ軸移動量信号発生回路、４７はＹ軸移動量信号発生回路、４８は決定信号発生回路、４９は本体、５０は指示手段を示す。
【図１】
2006201947.tif 000003
【図２】
2006201947.tif 000004
【図３】
2006201947.tif 000005
【図４】
2006201947.tif 000006
【図５】
2006201947.tif 000007
【図６】
2006201947.tif 000008
【図７】
2006201947.tif 000009
【図８】
2006201947.tif 000010
【図９】
2006201947.tif 000011
【図１０】
2006201947.tif 000012
【図１１】
2006201947.tif 000013
【図１２】
2006201947.tif 000014
【図１３】
2006201947.tif 000015
【図１４】
2006201947.tif 000016
【図１５】
2006201947.tif 000017
【図１６】
2006201947.tif 000018
【図１７】
2006201947.tif 000019
【図１８】
2006201947.tif 000020
【図１９】
2006201947.tif 000021
【図２０】
2006201947.tif 000022
【図２１】
2006201947.tif 000023
【図２２】
2006201947.tif 000024